(57)【要約】【課題】使用材料を最小限に抑えた上で、組立時等に転倒を防止することができるガスメータを提供する。【解決手段】ガスメータ１は、第１の部分３と、第２の部分４と、を有する筐体２を備えている。第１の部分３の底面３１は、筐体２の最下部に位置している。第２の部分４の底面６１は、第１の部分３の底面３１よりも高い位置に位置している。第２の部分４の底面６１には、突出部５が設けられている。突出部５の最下部を成す底面５１は、第１の部分３の底面３１と同一平面上に位置している。ガスメータ１を底面３１，６１が下になる向きで平らな台に載置すると、底面３１と突出部５の底面５１とが台に接触する。突出部５には、第２の部分４の内部空間から外部に連通した排水路５７が形成されている。【選択図】図８
0003231833.tif 000002
【実用新案登録請求の範囲】
【請求項１】
第１の部分と、第２の部分と、を有する筐体を備え、
前記第１の部分の底面が前記筐体の最下部に位置し、前記第２の部分の底面が前記第１の部分の底面よりも高い位置に位置し、
前記第２の部分の底面に突出部が設けられ、
前記突出部の最下部が、前記第１の部分の底面と同一平面上に位置しており、
前記突出部に、前記第２の部分の内部空間から外部に連通した排水路が形成されている
ことを特徴とするガスメータ。
【請求項２】
前記第２の部分の底面が、前記第１の部分に向かって下り勾配となるよう形成されており、
前記突出部が、前記第２の部分の底面における前記第１の部分側の端部に設けられており、
前記突出部の前記排水路に、前記第１の部分に向かって、前記第２の部分の底面よりも急な下り勾配の部分が形成されている
ことを特徴とする請求項１に記載のガスメータ。
【請求項３】
前記第２の部分の底面に、前記突出部が複数設けられている
ことを特徴とする請求項１又は２に記載のガスメータ。
【請求項４】
前記第１の部分は、前記筐体の背面側に位置しており、当該第１の部分の内部には、ガス流路と、ガス流量を計測する計測ユニットと、が設けられており、
前記第２の部分は、前記筐体の正面側に位置しているとともに前記第１の部分と隣接しており、当該第２の部分の正面には、操作部と、表示部と、が設けられている
ことを特徴とする請求項１〜３の何れか１項に記載のガスメータ。
【考案の詳細な説明】
【技術分野】
【０００１】
本考案は、ガスメータに関するものである。
【背景技術】
【０００２】
図９〜１３は、従来のガスメータ５０１を示している（特許文献１を参照）。このガスメータ５０１は、第１の部分５０３と、第２の部分５０４と、を有する筐体５０２を備えている。
【０００３】
第１の部分５０３は、筐体５０２の背面側に位置する部分であり、その上面５３２には、ガス流入口５１１及びガス流出口５１２が設けられている。第１の部分５０３の内部には、ガス流入口５１１からガス流出口５１２へと至るガス流路５１０と、ガス流量を計測する計測ユニットと、が設けられている。
【０００４】
第２の部分５０４は、筐体５０２の正面側に位置する部分であり、第１の部分５０３と隣接している。第２の部分５０４の正面５４３には、操作部５１３、表示部５１４、端子台部５１６等が設けられている。また、第２の部分５０４は、第１の部分５０３の正面に組み付けられたフロントカバー５４０と、フロントカバー５４０の正面かつ下半部に組み付けられて端子台部５１６を覆う端子台カバー５０６と、を有している。
【０００５】
図１２に示すように、フロントカバー５４０の底面５４１には通気孔５１７が開口しており、この通気孔５１７の開口部が端子台カバー５０６の底面５６１で覆われている。底面５６１は、通気孔５１７周辺の排水を良好にするために、第１の部分５０３に向かって下り勾配となるよう形成されている。なお、端子台カバー５０６の底面５６１は、第２の部分５０４の底面を成している。
【０００６】
このガスメータ５０１は、第１の部分５０３の底面５３１が筐体５０２の最下部に位置しており、第２の部分５０４の底面５６１は、第１の部分５０３の底面５３１よりも高い位置に位置している。このガスメータ５０１を底面５３１，５６１が下になる向きで平らな台に載置すると、底面５３１が台に接触し、底面５６１が台と非接触になる。
【先行技術文献】
【特許文献】
【０００７】
【特許文献１】特開２０１７−１２９３９１号公報
【考案の概要】
【考案が解決しようとする課題】
【０００８】
上述した従来のガスメータ５０１は、底面５３１，５６１が段違いに形成されているがゆえに、その組立時にベルトコンベア等に載置した際に、少しの振動や衝撃で前側に転倒してしまうという問題があった。これに対し、端子台カバー５０６を下方へサイズアップしてバランスを改善する案を検討した。しかし、端子台カバー５０６は、通気孔５１７周辺の排水を良好にするために底面５６１を第１の部分５０３に向かって下り勾配にする必要があるので、下方へサイズアップしても接地面を多く取ることはできずバランスが大きくは改善されない事と、使用材料が大幅に増加することからこの案は採用に至らなかった。
【０００９】
そこで、本考案は、使用材料を最小限に抑えた上で、組立時等に転倒を防止することができるガスメータを提供することを目的とする。
【課題を解決するための手段】
【００１０】
本考案のガスメータは、第１の部分と、第２の部分と、を有する筐体を備え、前記第１の部分の底面が前記筐体の最下部に位置し、前記第２の部分の底面が前記第１の部分の底面よりも高い位置に位置し、前記第２の部分の底面に突出部が設けられ、前記突出部の最下部が、前記第１の部分の底面と同一平面上に位置しており、前記突出部に、前記第２の部分の内部空間から外部に連通した排水路が形成されていることを特徴とする。
【考案の効果】
【００１１】
本考案によれば、使用材料を最小限に抑えた上で、組立時等に転倒を防止することができるガスメータを提供することができる。
【図面の簡単な説明】
【００１２】
【図１】本考案の一実施形態にかかるガスメータの正面図である。
【図２】図１のガスメータの側面図である。
【図３】図１の端子台カバーの正面図である。
【図４】図１の端子台カバーの側面図である。
【図５】図１の端子台カバーの背面図である。
【図６】図５中のＡ−Ａ線に沿った断面図である。
【図７】図５中のＢ部の拡大図である。
【図８】図１のガスメータにタグを取り付けた状態を示す図である。
【図９】従来のガスメータの正面図である。
【図１０】図９のガスメータの側面図である。
【図１１】図９のガスメータから端子台カバーを外した状態を示す図である。
【図１２】図１１のガスメータの底面図である。
【図１３】図１１のガスメータの側面図である。
【考案を実施するための形態】
【００１３】
本考案の一実施形態にかかる「ガスメータ」について、図１〜８を参照して説明する。図１〜８に示すガスメータ１は、図９〜１３に示す従来のガスメータ５０１を改良したものであり、第１の部分３と、第２の部分４と、を有する筐体２を備えている。
【００１４】
第１の部分３は、筐体２の背面側に位置する部分である。第１の部分３の上面３２には、ガス供給源に接続されるガス流入口１１と、燃焼器等に接続されるガス流出口１２と、が設けられている。第１の部分３の内部には、ガス流入口１１からガス流出口１２へと至るガス流路１０と、ガス流量を計測する計測ユニットと、が設けられている。また、図２に示すように、第１の部分３の底面３１は、筐体２の最下部に位置している。
【００１５】
第２の部分４は、筐体２の正面側に位置する部分であり、第１の部分３と隣接している。第２の部分４の正面４３には、復帰ボタン１３（「操作部」に相当する。）、液晶表示部１４（「表示部」に相当する。）、端子台部１６等が設けられている。また、第２の部分４は、第１の部分３の正面に組み付けられたフロントカバー４０と、フロントカバー４０の正面かつ下半部に組み付けられて端子台部１６を覆う端子台カバー６と、を有している。
【００１６】
端子台カバー６は、端子台部１６と対向する正面６３と、左右両側面６４と、底面６１と、を有している。フロントカバー４０の底面には通気孔１７が開口しており、この通気孔１７の開口部が端子台カバー６の底面６１で覆われている。底面６１は、通気孔１７周辺の排水を良好にするために、第１の部分３に向かって下り勾配となるよう形成されている。なお、端子台カバー６の底面６１は、第２の部分４の底面を成している。また、図２に示すように、底面６１は、第１の部分３の底面３１よりも高い位置に位置している。
【００１７】
端子台カバー６の底面６１には、突出部５が設けられている。本例では、正面視において、突出部５が底面６１の左右二箇所に設けられている。また、これら突出部５は、底面６１における第１の部分３側の端部に設けられている。各突出部５は、前後方向に延びた第１リブ５ａと、第１リブ５ａの後端からガスメータ１の幅方向中央部に向かって延びた第２リブ５ｂと、を有し、底面視Ｌ字状に形成されている。図１，２に示すように、突出部５の最下部を成す底面５１は、第１の部分３の底面３１と同一平面上に位置している。
【００１８】
上記ガスメータ１を底面３１，６１が下になる向きで平らな台に載置すると、底面３１と突出部５の底面５１とが台に接触する。このように、ガスメータ１は、段違いに形成された底面３１，６１を有しているが、底面６１に突出部５が設けられていることにより、使用材料は最小限でありながら、組立時等に台などに載置した際に転倒し難い構造となっている。このため、筐体２に傷が付くことを防止できる。
【００１９】
突出部５の第１リブ５ａには、第２の部分４の内部空間から外部に連通した排水路５７が形成されている。図５〜７に示すように、排水路５７は、前後方向に延びており、上方（底面６１側）と、突出部５の後端面５５と、の２方向に開口している。図６，７中の矢印で示すように、端子台部１６と端子台カバー正面６３との間を落下した水は、端子台カバー６の下り勾配の内面６１ａを伝って排水路５７に流れ、筐体２外に排出される。
【００２０】
図６に示すように、第１リブ５ａの前端面５３は、第１の部分３に向かって底面６１よりも急な下り勾配となるよう形成されている。この前端面５３の裏側に位置する排水路５７の前部には、第１の部分３に向かって底面６１よりも急な下り勾配の内面５７ａが形成されている。底面５１の裏側に位置する排水路５７の後部には、第１の部分３に向かって底面６１と同程度の下り勾配の内面５７ｂが形成されている。
【００２１】
このように突出部５に排水路５７を形成し、かつ、排水路５７の内面５７ａ，５７ｂにも勾配をつけることにより、排水効果をより高めることができ、通気孔１７周辺の排水をより一層良好にすることができる。よって、通気孔１７からの水浸入を防止することができる。
【００２２】
突出部５の第２リブ５ｂには、前後方向に貫通した孔５８が形成されている。この孔５８は、図８に示すように、ビニタイ９２等の紐を通すことができ、取扱方法を記載したタグ９１を取り付けることができる。
【００２３】
なお、従来は、ガスメータ設置後に配管にタグを取り付けたり、ガスメータの製造都合で設けられた孔を用いてタグを取り付けたりしており、設置環境によってはタグの取り付け作業が煩雑になることがあった。この点について本例では、端子台カバー６がフロントカバー４０にネジ止めされており簡単に取り外しできるため、設置環境によらずタグ９１を簡易に取り付けることができる。さらに、本例では、左右の突出部５の両方に孔５８を形成しているので、設置環境に応じてタグ９１を見やすい方の孔５８を選択することができる。
【００２４】
上述した実施形態では、突出部５が二つ設けられていたが、突出部は一つであってもよいし、三つ以上であってもよい。突出部を複数設けることで、ガスメータを台などに載置した際に、より一層転倒し難くすることができる。
【００２５】
なお、前述した実施形態は本考案の代表的な形態を示したに過ぎず、本考案は、この実施形態に限定されるものではない。即ち、本考案の骨子を逸脱しない範囲で種々変形して実施することができる。かかる変形によってもなお本考案の構成を具備する限り、勿論、本考案の範疇に含まれるものである。
【符号の説明】
【００２６】
１  ガスメータ
２  筐体
３  第１の部分
４  第２の部分
５  突出部
５７  排水路
【図１】
0003231833.tif 000003
【図２】
0003231833.tif 000004
【図３】
0003231833.tif 000005
【図４】
0003231833.tif 000006
【図５】
0003231833.tif 000007
【図６】
0003231833.tif 000008
【図７】
0003231833.tif 000009
【図８】
0003231833.tif 000010
【図９】
0003231833.tif 000011
【図１０】
0003231833.tif 000012
【図１１】
0003231833.tif 000013
【図１２】
0003231833.tif 000014
【図１３】
0003231833.tif 000015